(57)【要約】【課題】液晶テレビの普及によりテレビ受信機のパーソナル化が更に促進される。テレビの小型薄型化に伴い、自分の机上や身近な所にテレビを設置する機会が増え、その際の使い勝手に対する提案が望まれる。【解決手段】表示装置の外周を回転自在な略Ｕ字状のアームを１つ又は複数具備する薄型表示装置で、該１つ又は複数のアームの少なくとも１つのアームには該薄型表示装置の操作部が配置され、該アームの両端部は該薄型表示装置の側面部で回転可能に取付けられ、該アームの両側部には該操作部位置と該薄型表示装置と距離を調整可能な伸縮部を有することを特徴とする薄型表示装置。【選択図】　図１
2004032483.tif 000002
【特許請求の範囲】
【請求項１】
略Ｕ字状のアームを具備する薄型表示装置であって、該アームには該薄型表示装置の操作部が配置され、該アームの両端部は該薄型表示装置の側面部で回転可能に取付けられ、該アームの両側部には該操作部位置と該薄型表示装置との距離を調整可能な伸縮部を有することを特徴とする薄型表示装置。
【請求項２】
略Ｕ字状のアームを複数具備する薄型表示装置であって、該複数のアームの少なくとも１つのアームには該薄型表示装置の操作部が配置され、該複数のアームの両端部は該薄型表示装置の側面部で回転可能に取付けられ、該複数のアームの少なくとも１つのアームの両側部には該操作部位置と該薄型表示装置との距離を調整可能な伸縮部を有することを特徴とする薄型表示装置。
【請求項３】
薄型表示装置と操作部は該アーム内に配設される接続部材にて接続されていることを特徴とする、請求項１又は請求項２記載の薄型表示装置。
【請求項４】
操作部は該アームの外周方向に回動可能に設けられていることを特徴とする、請求項１乃至３のいずれかに記載の薄型表示装置。
【請求項５】
薄型表示装置を壁掛けにて使用する場合、該アームの最大外形の投影形状は該薄型表示装置背面よりも突出しないことを特徴とする、請求項１乃至４のいずれかに記載の薄型表示装置。
【発明の詳細な説明】
【０００１】
【発明の属する技術分野】
本発明は、液晶テレビ等、壁掛け可能な表示装置において主電源などの操作部の操作性向上及び、本体の持ち運びを容易に行うことを可能とする技術に関するものである。
【０００２】
【従来の技術】
従来の表示装置として液晶テレビを例に取り、図１６、１７と共に説明する。
【０００３】
図１６は液晶テレビの斜視図である。図１６において、９ａは電源ボタン、９ｂはチャンネル選局ボタン、９ｃは音量ボタン、９ｄは液晶画面、９ｅはリモコン受光部、９ｆはスタンドである。
【０００４】
図１７は液晶テレビの背面図である。図１７において、１０ａはスタンド取付けビスである。液晶テレビは４本のビス１０ａにてスタンド９ｆに取り付けられ、床上や卓上に置かれる。
【０００５】
チャンネルを変えたり、音量を調整するなどのテレビ操作はリモコンによる操作が一般的に行なわれるが、テレビ受信機のパーソナル化に伴い自分の机上や身近な所にテレビを置く場合には、ユーザーは電源ボタン９ａにて液晶テレビの電源を入れ、チャンネル選局ボタン９ｂと音量ボタン９ｃの操作にて所望の番組を視聴する。
【０００６】
尚、これらの操作は図示しないリモコンにても可能で、リモコンからの制御信号はリモコン受光部９ｅにて受信され、ユーザーは同様に所望の番組を視聴することになる。
【０００７】
この液晶テレビを壁掛けにて使用する場合は、４本のビス１０ａを外してスタンド９ｆを外した後、図示しない壁掛け用冶具を再度４本のビス１０ａで固定し、壁側の冶具と接続するなどすることで、壁掛けによる視聴が可能になる。測定器や小型テレビにおいてはＵ字状のハンドルの端部を本体の左右部に回転自在に固定し、キャリング時の把手にしたり、卓上使用時の脚として使用することが行なわれている。
【０００８】
また、実開平４−４４７７８においては、液晶ディスプレイ面をテレビ載置面に対して所定の傾斜角度に傾斜させた状態で、小型液晶テレビを支えるようになっている視野角調整用のスタンドに、グリツプ部を設けることでスタンドにキヤリングハンドルとしての機能をもたせた技術が開示されており、液晶デイスプレイ面の視野角の調整のみならず、小型液晶テレビの持ち運びも容易に行うことができる。
【０００９】
さらに、実開昭６２−１８６４７１には、リモコンの両端部に繰出し脚を設け、持ち運び時には該繰出し脚を繰出し、該繰出し脚の先端部を本体に固定することで、キャリングハンドルとして使用できるという提案が開示されている。
【００１０】
【発明が解決しようとする課題】
しかしながら、上述した従来の液晶テレビ等、壁に掛ける事が可能なディスプレイ本体を手の届く範囲外に壁掛けをした時は、主電源等の操作はリモコンで行うか、立ったり背伸びをして操作部を操作しなければならなかった。
又、壁掛けで視聴する場合は本体専用のスタンドを取り外す必要があり、その場合には、ドライバーで固定ネジを取り外し、立て掛けて使用する際にはスタンドを再度ネジで固定しなければならず、煩わしさが有った。
【００１１】
また、実開平４−４４７７８や実開昭６２−１８６４７１にはスタンドやキャリングハンドルの機能が開示されているが、表示装置が薄型化されるに従い、使用シーンが拡大し、更なる機能の拡張による使い勝手の提案が必要である。
【００１２】
【課題を解決するための手段】
本発明の請求項１においては、略Ｕ字状のアームを具備する薄型表示装置であって、該アームには該薄型表示装置の操作部が配置され、該アームの両端部は該薄型表示装置の側面部で回転可能に取付けられ、該アームの両側部には該操作部位置と該薄型表示装置との距離を調整可能な伸縮部を有することを特徴とする。
【００１３】
本発明の請求項２においては、略Ｕ字状のアームを複数具備する薄型表示装置であって、該複数のアームの少なくとも１つのアームには該薄型表示装置の操作部が配置され、該複数のアームの両端部は該薄型表示装置の側面部で回転可能に取付けられ、該複数のアームの少なくとも１つのアームの両側部には該操作部位置と該薄型表示装置との距離を調整可能な伸縮部を有することを特徴とする。
【００１４】
本発明の請求項３においては請求項１、２の薄型表示装置において、薄型表示装置と操作部は該アーム内を通過する接続部材にて接続されていることを特徴とする。
【００１５】
本発明の請求項４においては、請求項１乃至３の薄型表示装置において、操作部は該アームの外周方向に回動可能に設けられていることを特徴とする。
【００１６】
本発明の請求項５においては、請求項１乃至４の薄型表示装置において、薄型表示装置を壁掛けにて使用する場合、該アームの最大外形の投影形状は該薄型表示装置背面よりも突出しないことを特徴とする。
【００１７】
【発明の実施の形態】
本発明の液晶テレビにおける実施形態に関し、図１乃至図１５と共に説明する。
【００１８】
本発明の第一の実施形態として、図１乃至図８と共に説明する。
【００１９】
図１は液晶テレビの斜視図を示す。図１において、液晶テレビの前面中央には液晶画面４が設けられ、下方隅にはリモコン受光部５が設けられている。
【００２０】
把手部２は把手回転部２ｂで液晶テレビの側面中央部と接続され、中央部には電源ボタ１ａン、選局ボタン１ｂ、音量ボタン１ｃを有する操作部１が設けられ、把手回転部２ｂ近傍には把手伸縮締め具２ａを有している。
【００２１】
図２は把手回転部２の断面図で、（ａ）は液晶テレビ前面方向からの断面図で、（ｂ）は液晶テレビ側面方向からの断面図である。図２において２ｄは第一の把手部、２ｅは板バネ、２ｆは固定金具、２ｇは液晶テレビのキャビネット、２ｈはネジ、２ｉはワイヤー通過孔、２ｊはワイヤー、２ｋはカバーである。
【００２２】
図３は把手伸縮部の断面図である。図３において、２ｃは第二の把手部である。
【００２３】
図４は液晶テレビ前面からの部分断面図である。図４において、６はテレビ基板、６ａはテレビ側コネクタ、１ｅは操作基板、１ｄは操作側コネクタである。
【００２４】
Ｕ字状の把手部２の中央部には角度調整可能に操作部１が設けられ、又Ｕ字状の把手部２の両端部は液晶テレビの両側面ほぼ中央部に回転自在に取付けられている。
【００２５】
尚、操作部１の角度調整構造に関しては第二の実施形態で詳細記述する。把手回転部２ｂでは、板バネ２ｅは把手部２の先端部に相当する第一の把手部２ｄとキャビネット２ｇに挟まれ、固定金具２ｆとネジ２ｈによって回転自在に固定されている。
【００２６】
板バネ２ｅには凸部が有り、対応して第一の把手部２ｄには把手部２のロック角度を決定する為の凹部が設けられている。
【００２７】
凸部が凹部に入る事により任意の角度に固定出来る構造となっている。又、板バネ２ｅと第一の把手部２ｄ及び板バネ２ｅとキャビネット２ｇとの間に摩擦が生じ、回転トルクを得る構造となっている。
【００２８】
又、回転軸のほぼ中央部にはワイヤー通過孔２ｉが設けられ、テレビ基板６と操作基板１ｅとを接続するワイヤー２ｊが通過している。把手伸縮部では、第一の把手部２ｄの内径部に第二の把手部２ｃの外径部が自由に出入り可能な構造となっており、第一の把手部２ｄと把手伸縮締め具２ａとはネジ構造となっている。
【００２９】
第二の把手部２ｃの先端方向には把手伸縮締め具２ａの内径より徐々に外形が大きくなる勾配が付いており、把手伸縮締め具２ａを第二の把手部２ｃの先端方向に締め付ける事により第二の把手部２ｃの先端が第一の把手部２ｄを締め付ける構造となり第一の把手部２ｄと第二の把手部２ｃの固定が可能となる。
【００３０】
これにより、第一の把手部２ｄと第二の把手部２ｃとの間で伸縮が可能となり、把手伸縮締め具２ａで任意の長さで固定出きることになる。
【００３１】
又、第一の把手部２ｄと第二の把手部２ｃ内ではワイヤ２ｊはツヅラ折状に収容され、把手が最も縮められた状態でのツヅラ折部が第二の把手部２ｃ内面に固定され、把手２の伸縮にワイヤー２ｊが追随するように構成されている。
【００３２】
テレビ基板６にテレビ側コネクタ６ａが接続され、操作側コネクタ１ｄが操作基板１ｅに接続されることで、テレビ基板６と操作基板１ｅがワイヤ２ｊを介し接続され、操作ボタン１ａ、１ｂ、１ｃにより液晶テレビが制御されることになる。
【００３３】
このような構成でなる液晶テレビの使用方法としては、
１．壁掛け使用の場合
図示しない壁掛け冶具で液晶テレビを壁に固定する。壁面の固定位置により、液晶テレビの上面部に操作ボタン１ａ、１ｂ、１ｃが位置する方が操作性が良くなる場合は、把手２位置を図１のように設定し、液晶テレビが更に床面に近いところにある等でユーザー操作がし難い場合は、図１の状態から両方の把手伸縮締め具２ａを緩め、操作し易い高さまで伸ばした後、把手伸縮締め具２ａを締めて高さ固定を行なう。
【００３４】
液晶テレビが壁面の高い位置に固定される場合は、把手２を図５のように回転させて図６の位置とし、操作部１を回転させボタン面が下方又は前方へ向くように設定する。
【００３５】
液晶テレビが更に高い位置に固定される場合は、図６の状態から両方の把手伸縮締め具２ａを緩めて図７のように操作ボタンが操作し易い位置まで伸ばした後、把手伸縮締め具２ａを締めて高さ固定を行なう。
【００３６】
２．卓上や床面で使用
卓上や床面で使用する場合は、図８の様に把手２を液晶テレビ背面の方へ回した後、把手伸縮締め具２ａを緩めて把手２を伸縮させ適当な角度を選択した後把手伸縮締め具２ａを締めて固定する。
【００３７】
この時、操作ボタン１ａ、１ｂ、１ｃ部は机面や床面で押されない方向に角度を変えておく。
【００３８】
尚、この場合の液晶テレビの操作は、液晶テレビを極近い場所で使う以外はリモコンにて行なうことになる。
【００３９】
本発明の第二の実施形態として、図９乃至図１５と共に説明する。図９は液晶テレビの正面斜視図を示す。図９において、３はＵ字アーム、３ａはＵ字アーム回転部である。
【００４０】
図１０は把手とＵ字アームの回転部分の断面図を示しており、（ａ）は液晶テレビ前面方向からの断面図で、（ｂ）は液晶テレビ側面方向からの断面図である。
【００４１】
図１０において２ｄは第一の把手部、２ｅは板バネ、２ｆは固定金具、２ｇは液晶テレビのキャビ突起部、２ｈはネジ、２ｉはワイヤ通過孔、２ｊはワイヤ、２ｋはカバー、２ｋは回転レール、２ｌは液晶テレビのキャビ凹部、２ｍは把手回転部の肩部である。
【００４２】
図１１は液晶テレビ正面からの操作部と信号処理基板との接続状態を示す部分断面図である。図１１において、１ｅは操作基板、１ｄは操作側コネクタ、６は信号処理基板、６ａは信号処理側コネクタ、７は操作部回転部である。
【００４３】
図１２は操作部回転部の断面図であり、（ａ）は液晶テレビ前面方向からの断面図で、（ｂ）は液晶テレビ側面方向からの断面図である。図１２において、７ａはネジ、７ｂは固定金具、７ｃは板バネ、７ｄはワイヤ通過孔である。
【００４４】
図１３は液晶テレビの壁掛け側面図である。図１４は液晶テレビの壁掛け側面図である。図１５は液晶テレビの卓上側面図である。
【００４５】
各図と共に把手部２に形成された回転部分の構成を説明する。Ｕ字状の把手部２の中央部には角度調整可能に操作部１が設けられ、又把手部２の両端部は液晶テレビの両側面ほぼ中央部に回転自在に取り付けられている。
【００４６】
又、Ｕ字アーム３も把手部２の内側に配され、両端部が液晶テレビの両側面ほぼ中央部に把手部２と回転軸を同一にし、把手部２とは独立して回転自在に取り付けられている。
【００４７】
液晶テレビの両側面ほぼ中央部に設けられた把手部２とＵ字アーム３の回転部では、Ｕ字アーム３はＵ字アーム回転部３ａが一体で構成され、Ｕ字アーム回転部３ａを液晶テレビの両側面ほぼ中央部に設けられた回転機構部のキャビネット２ｇの突起部と回転レール２ｌに勘合させ、次に把手部２の把手回転部２ｂを液晶テレビのキャビとの間に板バネ２ｅを介在させた後、液晶テレビのキャビ凹部２ｍに遊嵌させると共に、把手回転部２ｂの肩部２ｎに当接させる。
【００４８】
この状態で、液晶テレビのキャビネット２ｇの内側の固定金具２ｆとネジ２ｈにて、把手部２とＵ字アーム３が回転自在となる締め付けトルクで締め付け、カバー２ｋを嵌め込む事で回転部が組立てられる。
【００４９】
板バネ２ｅには凸部が有り、該凸部の軌道上に対応して第一の把手部２ｄ内側の所定位置には把手部２のロック角度を決定する為の凹部が設けられている。板バネ２ｅ凸部が該凹部に入る事により任意の角度に固定出来る構造となっている。
【００５０】
又、板バネ２ｅと第一の把手部２ｄ及び板バネ２ｅと液晶テレビキャビネット２ｇの間、又Ｕ字アーム回転部３ａと液晶テレビキャビネット２ｇの間には摩擦が生じ、適当な回転トルクを得る構造となっている。
【００５１】
又、回転軸のほぼ中央部にはワイヤー通過孔２ｉが設けられ、信号処理基板６と操作基板１ｅとを接続するワイヤー２ｊが通過している。
把手部２のほぼ中央部に設けられている操作部１両端には操作部回転部７が設けられている。
【００５２】
操作部回転部７は、把手部２と操作部１の間に板バネ７ｃを介在させた後、操作部１の内側の固定金具７ｄとネジ７ａにて、把手部２と操作部１が回転自在となる締め付けトルクで締め付けられている。
【００５３】
板バネ７ｃには凸部が有り、該凸部の軌道上に対応して把手部２の内側の所定位置には操作部１のロック角度を決定する為の凹部が設けられている。
板バネ７ｃ凸部が該凹部に入る事により任意の角度に固定出来る構造となっている。
【００５４】
又、板バネ７ｃと把手部２、及び把手部２と操作部１の間には摩擦が生じ、適当な回転トルクを得る構造となっている。
【００５５】
又、回転軸のほぼ中央部にはワイヤー通過孔７ｄが設けられ、信号処理基板６と操作基板１ｅとを接続するワイヤー２ｊが通過している。
【００５６】
このような構成でなる液晶テレビの使用方法としては、壁掛け使用の場合が挙げられる。
【００５７】
３．壁掛け使用の場合（図９、１３、１４参照）
プライベートルームなどで壁側に書斎机を押し当てて配置されている状態で液晶テレビを使用する場合を想定してみる。なお、壁面までは手が届く距離とする。
【００５８】
第一の設置方法として液晶画面４をユーザー視線よりも若干下方向に設置するの場合は、先ず壁面に液晶テレビの幅や画面高さに合わせて２本のＬ字フックなどを固定し、図９においてＵ字アーム３を壁面の当たる程度に回転させ、Ｕ字アーム３を該２本のＬ字フックに懸下させる。
【００５９】
操作部１は操作し易い方向として、上方、又は前方へ向けるように回転させる。この状態でユーザーは操作ボタン１ａ、１ｂ、１ｃを操作し液晶テレビを視聴することになる。
【００６０】
第二の設置方法として液晶画面４をユーザー視線よりも若干上方向に設置するの場合は、同様に先ず壁面に液晶テレビの幅や画面高さに合わせて２本のＬ字フックなどを固定し、図９においてＵ字アーム３を壁面の当たる程度に回転させ、Ｕ字アーム３を該２本のＬ字フックに懸下させる。
【００６１】
次に把手２が液晶テレビの下方に位置されるように把手２を回転させることで、図１３に示すように設置される。
【００６２】
操作部１は操作し易い方向として、下方、又は前方へ向けるように回転させる。この状態でユーザーは操作ボタン１ａ、１ｂ、１ｃを操作し液晶テレビを視聴することになる。
【００６３】
第三の設置方法として液晶画面４をユーザー視線よりも更に上方向に設置するの場合は、第二の設置方法同様にＵ字アーム３と把手２を位置させて壁面に懸下したのち、液晶テレビ両側に位置する伸縮締め具２ａを緩め操作部１が操作し易い位置に来るように把手２を伸ばしその位置で伸縮締め具２ａを締めて把手２を固定することで、図１４に示す状態に設置される。
【００６４】
操作部１は操作し易い方向として、下方、又は前方へ向けるように回転させる。この状態でユーザーは操作ボタン１ａ、１ｂ、１ｃを操作し液晶テレビを視聴することになる。
【００６５】
以上３通りのケースとして説明したが、例えば第一の設置方法の類似として液晶テレビが更に床面に近いところに設置する場合は、図９の状態で液晶テレビ両側に位置する伸縮締め具２ａを緩め操作部１が操作し易い位置に来るように把手２を伸ばしその位置で伸縮締め具２ａを締めて把手２を固定することで、操作部１を操作可能な位置に設置することが可能となる。
【００６６】
又、把手２を壁面のフックに懸下させることや、把手２とＵ字アーム３の両者を複数のフックで固定することで堅固な固定とすることも可能である。
更に、把手２とＵ字アーム３は共に回転自在であることから、液晶画面４の高さのみではなく、角度も自在に設定することが可能である。
【００６７】
４．卓上や床面で使用する場合（図９、図１５参照）
卓上や床面で使用する場合は、図９においてＵ字アーム３を液晶テレビの下背面へ回転させ、液晶画面４が視聴し易い角度になる位置でロックする。
【００６８】
操作部１は操作し易い方向として、上方、又は前方へ向けるように回転させ図１５の状態に設置する。この状態でユーザーは操作ボタン１ａ、１ｂ、１ｃを操作し液晶テレビを視聴することになる。
【００６９】
又、操作部１が液晶テレビの上方では操作しずらい場合は、図１５の状態から把手２を液晶テレビ前面の下方へ回転位置させた後、操作部１を上方、又は前方へ向けることで操作位置を変える事が可能となる。
更に、把手２の回転自在機能と伸縮機能を応用することで、操作部１をユーザーの視聴位置へ更に近づけたり、使用状況に応じたさまざまな操作部１の位置設定が可能である。
【００７０】
尚、上記実施形態において設置場所に応じた操作部１位置設定を説明したが、把手２とＵ字アーム３を液晶テレビの設置のためだけに使い液晶テレビ操作はリモコンにて行なうことも当然可能である。
【００７１】
【発明の効果】
本発明によれば、
ユーザー位置と表示面の位置に応じて操作部分をアームの回転や伸縮でもっとも操作しやすい位置に自由に変えることが可能となる。特に１人１台などのパーソナル使用が増加する中、使い勝手の良い表示装置の提供が可能となる。
【００７２】
また、壁掛けなどにより高い位置に設置する場合、アームの回転・伸縮により操作部が手の届く位置に出きる為、主電源を直接入り・切り出来、節電を可能とする。
【００７３】
また、比較的簡単な構成で適当な角度でアーム固定が可能となり、操作ボタンを確実に操作可能とすると共に、卓上や床上使用時のスタンドとしても使用可能である。
【００７４】
また、薄型表示装置のキャビとアーム間で適当なトルクを持たせることで、角度設定をスムーズに行なうことを可能とすると共に、角度固定後の安定性を向上している。
【００７５】
さらに、アーム外形の投影形状が薄型表示装置背面よりも突出しないことで、壁面により密着することになり、安定した視聴が可能になると共に、薄型小型軽量を提供することを可能としている。
【図面の簡単な説明】
【図１】本発明の第一の実施形態による液晶テレビ斜視図。
【図２】本発明の第一の実施形態による把手回転部断面図。
【図３】本発明の実施形態の把手伸縮部断面図。
【図４】本発明の第一の実施形態による液晶テレビ正面部分断面図。
【図５】本発明の第一の実施形態による把手回転時の液晶テレビ側面図。
【図６】本発明の第一の実施形態による壁掛け時の液晶テレビ側面図。
【図７】本発明の第一の実施形態による壁掛け時の液晶テレビ側面図。
【図８】本発明の第一の実施形態によるディスクスタンド時の液晶テレビ側面図。
【図９】本発明の第二の実施形態による液晶テレビ斜視図。
【図１０】本発明の第二の実施形態による把手回転部断面図。
【図１１】本発明の第二の実施形態による液晶テレビ正面部分断面図。
【図１２】本発明の実施形態による液晶テレビの操作部回転部断面図。
【図１３】本発明の第二の実施形態による壁掛け時の液晶テレビ側面図。
【図１４】本発明の第二の実施形態による壁掛け時の液晶テレビ側面図。
【図１５】本発明の第二の実施形態によるディスクスタンド時の液晶テレビ側面図。
【図１６】従来例の液晶テレビ斜視図。
【図１７】従来例の液晶テレビ背面図。
【符号の説明】
１　操作部
２　把手
３　Ｕ字アーム
４　液晶画面
５　リモコン受光部
６　信号処理基板
７　操作部回転部
【図１】
2004032483.tif 000003
【図２】
2004032483.tif 000004
【図３】
2004032483.tif 000005
【図４】
2004032483.tif 000006
【図５】
2004032483.tif 000007
【図６】
2004032483.tif 000008
【図７】
2004032483.tif 000009
【図８】
2004032483.tif 000010
【図９】
2004032483.tif 000011
【図１０】
2004032483.tif 000012
【図１１】
2004032483.tif 000013
【図１２】
2004032483.tif 000014
【図１３】
2004032483.tif 000015
【図１４】
2004032483.tif 000016
【図１５】
2004032483.tif 000017
【図１６】
2004032483.tif 000018
【図１７】
2004032483.tif 000019